(57)【特許請求の範囲】
【請求項１】
スイッチが設けられたケース；
前記ケースの内部に配置されたファンデーション容器；
前記スイッチで駆動されるモーターによって振動するパフ部；を含み、
前記パフ部は、前記ファンデーション容器のポンピングによりファンデーションの供給を受けることを特徴とする電動パフ。
【請求項２】
前記パフ部は、前後方向に振動することを特徴とする請求項１に記載の電動パフ。
【請求項３】
一側が前記パフ部に接続され、他側が前記モータの回転軸と接続される作動軸が設けられ、
前記作動軸と前記モーターの回転軸は垂直に設けられ、
前記作動軸には前記作動軸と垂直な方向に形成された長穴と、
前記モーターの回転軸に結合された偏心軸を含み、
前記モーターの回転時に、前記偏心軸が前記長穴を移動して前記作動軸を前後方向に振動させることを特徴とする請求項２に記載の電動パフ。
【請求項４】
前記パフ部の後方に形成され、前記ファンデーション容器と連結される連結管が接続される接続具と、前記連結管を通過したファンデーションが前記パフ部に貫く貫通口とを更に含み、前記接続具の軸と前記貫通口の軸は偏心で構成されたことを特徴とする請求項１または請求項２に記載の電動パフ。
【発明の詳細な説明】
【技術分野】
【０００１】
本発明は、ファンデーション容器と前後方向に同時に動くパフを含む電動パフに関する。
【背景技術】
【０００２】
従来のパフは、丸型または角型で構成され、指を入れるように一側面にリボンが付けられている。
このような従来のパフは、化粧をするときに他の化粧道具がさらに必要であり、ファンデーションが手に付くため煩わしいという問題点が発生する。
また、化粧品が化粧部位に均一に定着しないという問題点も生ずる。
【発明の概要】
【発明が解決しようとする課題】
【０００３】
本発明は、上記の問題を解決するために案出されたものであって、化粧を便利にし、また化粧する部位に化粧品が均一に定着されるようにする。
【課題を解決するための手段】
【０００４】
前述の目的を果たすための本発明の電動パフは、スイッチが設けられたケースと、上記ケースの内部に配置されたファンデーション容器と、上記ファンデーション容器と連結されてファンデーションの供給を受けるパフ部と、上記スイッチの作動で駆動されたモーターによって上記パフ部を前後方向に振動させる作動軸とを含む。
【０００５】
上記作動軸と上記モーターとの間には偏心部材が設けられる。
【０００６】
上記偏心部材は、上記モーターの回転軸に結合される偏心軸と、上記偏心軸に伝達されるモーターの駆動力により偏心回転しつつ上記作動軸を前後方向に振動させる結合部とを含む。
【０００７】
上記パフ部の後方に形成され、上記ファンデーション容器と連結される連結管が接続される接続具と、上記連結管を通過したファンデーションが上記パフ部に貫く貫通口をさらに含む。
【０００８】
上記接続具の軸と上記貫通口の軸は偏心で構成される。
【発明の効果】
【０００９】
以上の説明のような本発明の電動パフによれば、次のような効果がある。
【００１０】
ファンデーション容器とパフ部を同時に含むため、化粧することが便利である。
【００１１】
パフ部が自動に前後方向に振動するので、人為的な力を加えずに化粧を便利にすることができる。
【００１２】
偏心部材を含むため、振動を発生させることができる。
【００１３】
接続具の軸と貫通口の軸が偏心で構成されているため、ファンデーションが適量出てきて化粧部位に均一に定着されることができる。
【図面の簡単な説明】
【００１４】
【図１】本発明の好ましい実施例による電動パフの側面図。
【図２】図１の断面図。
【図３】本発明の好ましい実施例による電動パフの作動図。
【図４】本発明のファンデーション容器の断面図。
【発明を実施するための形態】
【００１５】
以下、本発明の好ましい一実施例について添付図面を参照して詳しく説明する。
【００１６】
また、以下で説明する本発明の構成のうち、従来の技術と同一構成については上述した従来の技術を参照することにし、別途の詳細な説明は略する。
【００１７】
図１は本発明の好ましい実施例による電動パフの側面図であり、図２は図１の断面図であり、図３は本発明の好ましい実施例による電動パフの作動図であり、図４は本発明のファンデーション容器の断面図である。
【００１８】
図２に示したように、本発明の電動パフは、スイッチ９が設けられたケース１と、上記ケース１の内部に配置されたファンデーション容器２と、上記ファンデーション容器２と連結されてファンデーションの供給を受けるパフ部３と、上記スイッチ９の作動で駆動されたモーター５によって上記パフ部３を前後方向に振動させる作動軸４とを含む。
【００１９】
［ケース］
ケース１は、断面が台形形状であり、前方の一部が内側に曲がった形状をしている。
【００２０】
上記ケース１の内部には、モーター５を収納するモーター収納部１１と、ファンデーション容器２を収納するファンデーション容器収納部１２と、バッテリー１３aを収納するバッテリー収納部１３とが形成される。
【００２１】
また、上記ケース１の内部には、後述する作動軸４が振動するようにガイドするブッシング２６５が設けられる。
【００２２】
上記ファンデーション容器収納部１２の下端には後述するファンデーション容器２が嵌め込まれる嵌め込み部４００が形成される。
【００２３】
［モーター収納部］
モーター収納部１１は上記ケース１内部の上部に形成される。
【００２４】
上記モーター収納部１１の下端にはモーター５を支持するモーター支持部１１２が形成される。
【００２５】
上記モーター支持部１１２の中央には、モーター５の回転軸５０が貫く貫通口が形成される。
【００２６】
［ファンデーション容器収納部］
モーター収納部１１の下部には、ファンデーション容器収納部１２が形成される。
【００２７】
上記ファンデーション容器収納部１２の中央には、ファンデーション容器２を嵌め込んで固定する第１固定部１２１が形成される。
【００２８】
上記ファンデーション容器収納部１２の上部には、後述するファンデーション容器２のポンピング部２６の上端で上記ファンデーション容器２を固定するように第２固定部１２２が形成される。
【００２９】
上記ファンデーション容器収納部１２の下部には、後述するファンデーション容器２の下端が嵌め込まれる嵌め込み部４００が形成される。
【００３０】
上記嵌め込み部４００はＵ字形の溝形状であり、上端が折り曲げられた形状である。
【００３１】
上記嵌め込み部４００の折り曲げられた上端に、後述するファンデーション容器２の下端が嵌め込まれる。
【００３２】
［バッテリー収納部］
ファンデーション容器収納部１２の前方にはバッテリー収納部１３が形成される。
【００３３】
上記バッテリー収納部１３は直四角形状であり、バッテリー１３aを嵌め込んで固定する役目をする。
【００３４】
上記バッテリー収納部１３の上部中央と下部中央にはバッテリー１３aの電極と端子が連結されるように連結部１３０が形成される。
【００３５】
上記ケース１の外部の前面下部にはスイッチ９が設けられ、前面上部にはパフ部３が設けられる。
【００３６】
［ファンデーション容器］
上記ケース１の内部のファンデーション容器収納部１２には、ファンデーション容器２が設けられ、上記ファンデーション容器２の下端が嵌め込み部４００に嵌め込まれる。
【００３７】
ファンデーション容器２は、外部容器２bと、上記外部容器２bの内部に形成され、ファンデーションを収容する内部容器２aと、上記内部容器２aの内部に位置して固定されるシリンダー２５と、上記シリンダー２５を保護するショルダー２３と、上記シリンダー２５に昇降可能に設けられるピストン２４と、下端は上記ピストン２４が結合され、上端は支持具２７に挟まれて支持されるピストンシャフト２２と、上記ピストンシャフト２２と上記ショルダー２３との間に設けられて上記ピストンシャフト２２に弾性力を与えるスプリング２６とを含む。
【００３８】
上記ファンデーション容器２のポンピングは、上記支持具２７を押すと、上記支持具２７に挟まれたピストンシャフト２２及びピストン２４を同時に下降させ、上記シリンダー２５の内圧を増加させて、上記シリンダー２５内に収容されたファンデーションがピストンシャフト２２を通過してノズル２０に吐出される。
【００３９】
このようなファンデーション容器２のファンデーションがポンピングされる構造及び動作は、通常の技術を使用したものであるため具体的な言及はしない。
【００４０】
上記内部容器２aの下部にはファンデーションを押し上げるピストン部２１１が設けられる。
【００４１】
上記ピストン部２１１はＵ字形の溝形状をしている。
【００４２】
上記ピストン部２１１の上部には内部容器２ａに収容されたファンデーションを支持する支持部２１５が一体に形成される。
【００４３】
上記支持部２１５の直径は上記ピストン部２１１の直径より大きいことが好ましい。
【００４４】
上記支持部２１５の下部には外部の空気が流入される流路２１２が形成される。
【００４５】
上記流路２１２は外部容器２ｂの底面に形成された貫通孔２１３を通じて流入された空気で満たされる。
【００４６】
ファンデーションを使用して内部容器２aのファンデーションが減ると、容器内の圧力と大気圧が違うようになるため、圧力差により上記貫通孔２１３を通じて流入された空気が流路２１２に満たされる。
【００４７】
したがって、内部容器２a中に満たされたファンデーションを使用しても、圧力差によりいつもファンデーションが上部にあるシリンダー２５の近くに留まることになるため、最後まで使い切ることができるというメリットがある。
【００４８】
［パフ部］
パフ部３はケース１の外部に設けられる。
【００４９】
上記パフ部３は、モーター収納部１１の前方に配置されることが好ましい。
【００５０】
上記パフ部３は、パフ板３１と上記パフ板３１の前方に一体に形成されたパフ３２とを含む。
【００５１】
上記パフ部３は、後述する作動軸４と連結されて前後方向に移動し、上記ファンデーション容器２と連結されてファンデーションの供給を受ける。
【００５２】
パフ板３１は角型または丸型の形状をしている。
【００５３】
上記パフ板３１の前方下部には溝３１０が形成される。
【００５４】
上記溝３１０は連結管６を通過したファンデーションが後述するパフ３２へ移動する通路である。
【００５５】
上記パフ板３１の後方には接続具７１、７２が形成される。
【００５６】
上記接続具７１、７２は中空の円筒状であり、上記パフ板３１の後面から突き出された形状である。
【００５７】
上記接続具７１、７２は第１接続具７１と、上記第１接続具７１の下部に形成された第２接続具７２とを含む。
【００５８】
第１接続具７１は後述する作動軸４と接続される。
【００５９】
第２接続具７２は連結管６の他側と接続される。
【００６０】
上記第２接続具７２の直径は上記連結管６の直径より大きい。よって、上記第２接続具７２と上記連結管６が連結されるとき、上記第２接続具７２の内部にシリコーンＯリング８をさらに設けて固定させる。
【００６１】
パフ３２は上記パフ板３１の前方に一体に形成され、角型または丸型の形状をしている。
【００６２】
上記パフ３２の下部には排出されたファンデーションがつけられる貫通口３５が形成される。
【００６３】
貫通口３５の軸は上記第２接続具７２の軸と偏心で構成される。
【００６４】
上記貫通口３５は上記第２接続具７２より上部に配置されることが好ましい。
【００６５】
このようなパフ部３はファンデーションが出過ぎず、適量出てくるメリットがある。
【００６６】
［連結管］
連結管６は「？」字形状をしている。
【００６７】
上記連結管６の一側はファンデーション容器２のノズル２０と連結され、他側はパフ部３の第２接続具７２と連結される。
【００６８】
上記連結管６はパフ部３が前後方向に移動するとき、柔軟に動くようにシリコーンチューブで構成されることが好ましい。
【００６９】
［作動軸／ガイド溝］
作動軸４は一側が上記パフ部３の第１接続具７１に接続され、他側がモーター５の回転軸５０と接続される。
【００７０】
上記作動軸４には上記作動軸４と垂直な方向に長穴２２０が形成される。
【００７１】
上記作動軸４は偏心部材２００によりモーター５の回転軸５０と垂直に設けられる。
【００７２】
上記作動軸４は駆動されたモーター５により上記パフ部３を前後方向に振動させる。
【００７３】
上記作動軸４とモーター５の回転軸５０が垂直であるため、前後方向に振動が可能である。
【００７４】
作動軸４が前後方向に振動するとき、上記作動軸４の振動方向をガイドするブッシング２６５が設けられる。
【００７５】
上記ブッシング２６５は、ケース１に設けられ、作動軸４が離脱しないように周りを拘束して前後方向に円滑にガイドさせることが好ましい。
【００７６】
上記ブッシング２６５は二つが設けられることが好適であり、後述する偏心軸２１０の前方と後方にそれぞれ一つずつ設けられることが好ましい。
【００７７】
［偏心軸］
偏心軸２１０は上記モーター５の回転軸５０が挿入されるように上部に形成されたＵ字形の溝を含む。
【００７８】
上記偏心軸２１０の下部は上記作動軸４の長穴２２０とかみ合う。
【００７９】
モーター５の回転時、上記偏心軸２１０が上記長穴２２０を移動して上記作動軸４を前後方向に振動させる。
【００８０】
以下、上述した構成を有する本実施例の作用を説明する。
【００８１】
ケース１の下端に設けられた嵌め込み部４００を押す。
【００８２】
ファンデーション容器２がポンピングされて排出されたファンデーションが、連結管６を通過して溝３１０を通って貫通口３５から排出されてパフ３２につけられる。
【００８３】
スイッチ９をＯＮさせる。
【００８４】
モーター５が駆動され、モーター５の回転により偏心軸２１０が回転される。
【００８５】
偏心軸２１０が長穴２２０に沿って回転される。
【００８６】
作動軸４は前後方向に移動することになる。
【００８７】
パフ部３が前後方向に移動される。
【００８８】
上述のように、本発明の好ましい実施例を参照して説明したが、該当技術分野における当業者は、下記の特許請求の範囲に記載の本発明の思想及び領域から脱しない範囲内で、本発明を多様に修正または変形して実施することができる。
【産業上の利用可能性】
【００８９】
以上のように、本発明による電動パフは、特に、化粧を便利にする電動パフに相応しい。
【符号の説明】
【００９０】
１：ケース、２：ファンデーション容器、２ａ：ファンデーションの内部容器、２ｂ：ファンデーションの外部容器、２０：ノズル、２２：ピストンシャフト、２３：ショルダー、２４：ピストン、２５：シリンダー、２６：スプリング、２７：支持具、２１１：ピストン部、２１２：流路、２１３：貫通孔、２１５：支持部、４００：嵌め込み部、３：パフ部、３１：パフ板、３２：パフ、３５：貫通口、３１０：溝、４：作動軸、２１０：偏心軸、２２０：長穴、２６５：ブッシング、５：モーター、５０：モーターの回転軸、６：連結管、７１：第１接続具、７２：第２接続具。
【図１】
0005599945.tif 000002
【図２】
0005599945.tif 000003
【図３】
0005599945.tif 000004
【図４】
0005599945.tif 000005